(57)【要約】【課題】  スクリーンの平面性を維持して吊り下げができるようにしたプロジェクタスクリーンを提供する。  また、構造簡単で取扱容易な上に、低価格で、携帯に便利なプロジェクタスクリーンの立設装置を提供する。【解決手段】  スクリーン１０の端部を、折り曲げ１２断面Ｖ字状で両側端を内側に折り曲げた差込レール２０内に挿入して係着させ、前記スクリーン１０の平面性を維持して吊すことができるようにしたプロジェクタスクリーンを、各上端に、切欠溝３１を設け、各下端に、十字状の板状物４０、４０を差込可能にした差込溝３２、３２をそれぞれ設け、立設できるようにした１対の紙管３０、３０からなる立設装置に吊るしたもの。【選択図】        図４
2005352189.tif 000002
【特許請求の範囲】
【請求項１】
スクリーンの端部を、折り曲げ、又は、テープ貼りして、断面Ｖ字状で両側端を内側に折り曲げた差込レール内に挿入して係着させ、前記差込レールにより、前記スクリーンの平面性を維持して吊すことができるようにしたプロジェクタスクリーン。
【請求項２】
１対の紙管の各上端に、切欠溝を設け、各下端に、十字状の板状物を差込可能にした差込溝をそれぞれ設け、１対の紙管を立設できるようにすると共に、スクリーンの上端に係着した差込レールを、前記各紙管の各切欠溝を介して係止し、前記スクリーンを吊すことができるようにしたことを特徴とするプロジェクタスクリーン立設装置。
【請求項３】
１対の紙管の各下端に、十字状の板状物を差込可能にした差込溝をそれぞれ設け、１対の紙管を立設できるようにすると共に、スクリーンの上端に係着した差込レールの両側に固着させた各突出片を、前記各紙管上端に挿入し、前記スクリーンを吊すことができるようにしたことを特徴とするプロジェクタスクリーン立設装置。
【請求項４】
スクリーンの上端に係着した差込レールの両端に、フック状又はリング状引掛け具を取りつけ、室内仕切頂部やカーテンレール又はレール滑り具等から吊せられるようにした請求項１記載のプロジェクタスクリーン。
【発明の詳細な説明】
【技術分野】
【０００１】
本発明は、主として液晶プロジェクタ用のスクリーン及びその立設装置に関する。
【背景技術】
【０００２】
巻回して折り畳めるようにした液晶プロジェクタ用等のスクリーンを、床面又は机上面等に立設して、投影画像が見れるようにした携行用スクリーン立設装置には種々あるが、いずれも構造複雑で、高価につく欠点があった。
そこで、本発明者は、スクリーンを改良すると共に、構造簡単で、極めて低価格で製作できるプロジェクタスクリーン立設装置の開発に成功した。
【特許文献１】特開平１１−２８７１号公報
【特許文献２】特開平１０−９７００１号公報
【特許文献３】特開平９−３１１３８５号公報
【発明の開示】
【発明が解決しようとする課題】
【０００３】
本発明は、スクリーンの平面性を維持して吊り下げができるようにしたプロジェクタスクリーンを提供することにある。
また、本発明は、構造簡単で取扱容易な上に、低価格で、携帯に便利なプロジェクタスクリーンの立設装置を提供することにある。
【課題を解決するための手段】
【０００４】
本発明プロジェクタスクリーンは、上記課題を達成するため、図１、図２及び図３に示すように、スクリーン１０、１０Ｂ又は１０Ｃの端部を、折り曲げ１２、又は、テープ１３Ｂ又は１３Ｃ貼りして、断面Ｖ字状で両側端を内側に折り曲げた差込レール２０内に挿入して係着させ、前記差込レール２０により、前記スクリーン１０、１０Ｂ又は１０Ｃの平面性を維持して吊すことができるようにしたものである。
また、本発明プロジェクタスクリーンの立設装置は、上記課題を達成するため、図４及び図５に示すように、１対の紙管３０、３０の各上端に、切欠溝３１を設け、各下端に、十字状の板状物４０、４０を差込可能にした差込溝３２、３２をそれぞれ設け、１対の紙管３０、３０を立設できるようにすると共に、スクリーン１０、１０Ｂ又は１０Ｃの上端に係着した差込レール２０を、前記紙管３０、３０の各欠溝３１、３１を介して係止し、前記スクリーン１０、１０Ｂ又は１０Ｃを吊すことができるようにしたものである。
また、本発明プロジェクタスクリーンの立設装置は、上記課題を達成するため、図６に示すように、１対の紙管３０、３０の各下端に、十字状の板状物４０、４０を差込可能にした差込溝３２、３２をそれぞれ設け、１対の紙管３０、３０を立設できるようにすると共に、スクリーン１０、１０Ｂ又は１０Ｃの上端に係着した差込レール２０の両側に固着させた突出片５０、５０を、前記紙管３０、３０の上端に挿入し、前記スクリーン１０、１０Ｂ又は１０Ｃを吊すことができるようにしたものである。
さらに、本発明プロジェクタスクリーンは、上記課題を達成するため、図７に示すように、スクリーン１０、１０Ｂ又は１０Ｃの上端に係着した差込レール２０の両端に、フック状又はリング状引掛け具６０、６０を取りつけ、室内仕切頂部やカーテンレール７０又はレール滑り具７１、７１等から吊せられるようにしたものである。
本発明において、スクリーンには合成樹脂フィルム１枚もの又は２枚積層又は重合したもののほか片面又は両面に透明硬質板を貼着又は挟持したものがあるが、いずれも、スクリーンは、液晶プロジェクタ等からの光を反射して映像を形成する公知の反射形スクリーンか、液晶プロジェクタ等からの光を透過して映像を形成する透過形スクリーンか、両者兼用のものがある。
また、本発明において、断面Ｖ字状で両側端を内側に折り曲げた差込レールの構造は、合成樹脂製の紙挟みクリップとして公知のものである。
さらに、前記差込レールは、スクリーンの上端、下端、両側端に差し込みでき、差込レールからスクリーンの脱着はスクリーンの折り曲げ部、テープ貼り部をレール内の空間からレール又はスクリーンを横滑りさせることにより容易に行われる。
突出片は差込レールの両側に通常、硬質板小片の上端を折り曲げてレール内に係着することにより容易に固着できる。
また、突出片は差込レールの両端内又は外側端に粘着テープ等を介して固着させてもよい。
紙管は公知の厚紙製のものが頑丈で軽く、合成樹脂製パイプも含まれる。
十字状の板状物は、通常、段ボール製のもので実用されるが、硬質合成樹脂板でもよい。
フック状又はリング状引掛け具は、差込レールの両端に吊すか又は両端に穿設した穴に係着してもよい。
【発明の効果】
【０００５】
本発明プロジェクタスクリーンは、差込レールを使用することにより、スクリーンの平面性を維持して容易に吊すことができる。
また、本発明プロジェクタスクリーン立設装置は、構造簡単で、本発明プロジェクタスクリーンを使用して容易に組立分解でき携行も軽量で便利である。
さらに、製作費は本発明のプロジェクタスクリーン及びその立設装置ともに極めて安価につく利点がある。
【発明を実施するための最良の形態】
【０００６】
本発明プロジェクタスクリーンは、スクリーンに差込レールを差し込むことを特徴としている。
また、本発明プロジェクタスクリーン立設装置は、上記本発明プロジェクタスクリーンを一対の紙管を使用して吊すようにすることを特徴としている。
【実施例１】
【０００７】
本発明プロジェクタスクリーン及び本発明プロジェクタスクリーン立設装置の実施例が図１、図４及び図５に示されている。
本発明実施例のプロジェクタスクリーンは、図１に示すように、プロジェクタ光の反射型又は透過型のスクリーン１０の上端及び下端に折り曲げ片１２、１２を設けて、断面Ｖ字状で両側端を内側に折り曲げた差込レール２０に挿入して係着させたものである。本発明の実施例のプロジェクタスクリーンは、図２に示すように、反射型又は透過型のスクリーン１０Ｂの上端及び下端に粘着テープ１３Ｂ、１３Ｂを貼りつけて折り曲げ片１２、１２の代りにしてもよい。
本発明実施例のプロジェクタスクリーン立設装置は、本発明実施例のプロジェクタスクリーンと、１対の紙管３０、３０と、１対の十字状の板状物４０、４０からなる。
各紙管３０は、上端に切欠溝３１を設け、下端に４個の差込溝３２、３２、３２、３２を設け、４個の差込溝３２、３２、３２、３２には図５に示す１対の差込片４１、４２を十字状に組み立てた十字状板状物４０を差込んで立設できるようにしている。また、各紙管３０は、スクリーン１０又は１０Ｂの下端に差し込んだ差込レール２０を挿入する挿入穴３３、３３、３３を設け、スクリーンサイズに対応している。
従って、１対の紙管３０、３０の切欠溝３１、３１、挿入穴３３、３３にスクリーン１０又は１０Ｂの差込レール２０、２０を差し込めば、立設装置の組立ができ、分解も容易で、本発明プロジェクタスクリーンも巻回して折り畳めるので、携行に便利になる。
【実施例２】
【０００８】
図３及び図６に本発明プロジェクタスクリーン及び本発明プロジェクタスクリーン立設装置の別の実施例が示されている。
本発明実施例のプロジェクタスクリーンは、図３に示すように、２枚の透明アクリル樹脂板に、プロジェクタ光反射型又は透過型のスクリーン１０Ｃを挟持して上端及び下端に粘着テープを貼って差込レール２０を挿入して係着させたものである。本発明実施例のプロジェクタスクリーン立設装置の１対の紙管３０、３０及び十字状の板状物４０は、実施例１と同じであるので詳細説明は省略する。
【実施例３】
【０００９】
図７に本発明プロジェクタスクリーンのさらに別の実施例が示されている。
本発明実施例に使用されるスクリーンは、実施例１及び２に使用されるスクリーン１０、１０Ｂ又は１０Ｃと同じで、差込レール２０はスクリーン１０、１０Ｂ又は１０Ｃの上端、下端及び両側端にそれぞれ係着している。
本発明実施例では、スクリーン上端の差込レール上にフック又はリング６０が附属されて、カーテンレール７０又はカーテン吊り具７１に引掛けられるようになっている。
【産業上の利用可能性】
【００１０】
本発明のプロジェクタスクリーン及びその立設装置は、構造簡単で、安価に製造でき、量産ができる。
【図面の簡単な説明】
【００１１】
【図１】本発明実施例のプロジェクタスクリーンの断面図である。
【図２】本発明実施例の別のプロジェクタスクリーンの断面図である。
【図３】本発明実施例の別のプロジェクタスクリーンの断面図である。
【図４】本発明実施例の十字状板状物の分解図である。
【図５】本発明実施例のプロジェクタスクリーンの立設装置の正面図である。
【図６】本発明実施例の別のプロジェクタスクリーンの立設装置の正面図である。
【図７】別の本発明実施例のプロジェクタスクリーンの立設装置の正面図である。
【符号の説明】
【００１２】
１０、１０Ｂ、１０Ｃ    スクリーン
１２    折り曲げ片
１３Ｂ、１３Ｃ    粘着テープ
２０    差込レール
３０    紙管
３１    切欠溝
３２    差込溝
４０    十字状板状物
５０    突出片
６０    フック状又はリング状引掛け具
７０    カーテンレール
７１    レール滑り具
【図１】
2005352189.tif 000003
【図２】
2005352189.tif 000004
【図３】
2005352189.tif 000005
【図４】
2005352189.tif 000006
【図５】
2005352189.tif 000007
【図６】
2005352189.tif 000008
【図７】
2005352189.tif 000009